(57)【要約】【課題】アルバムを容易に作成することが可能なアルバム作成装置、アルバム作成方法および該アルバム作成方法を実現するためのプログラムを提供する。【解決手段】まず、撮影に用いるメモリカードを選択する。メモリカードには、あらかじめ行事に合わせたテンプレートが保存されているので、運動会なら運動会用のメモリカード、結婚式なら結婚式用のメモリカードを選択する。たとえば、運動会用のメモリカードが選択されているとする。次に、選択したメモリカードをデジタルカメラに挿入し、画像を撮影すると、撮影された画像はメモリカードに保存される。このとき、テンプレート２０ａが選択されているとすると、このテンプレート２０ａのソースコードを書き換え、撮影した画像にリンクを貼る。これにより、（ｂ）のように、行事に合わせたアルバムを作成することができるようになる。【選択図】　　図４
2004134979.tif 000002
【特許請求の範囲】
【請求項１】
アルバムのデザインを規定するテンプレートを予め記憶した記憶媒体から、該テンプレートを読み出す読み出し手段と、
デジタル画像を生成する生成手段と、
前記読み出し手段によって読み出されたテンプレートと、前記生成手段によって生成されたデジタル画像とを合成する合成手段と
を有することを特徴とするアルバム作成装置。
【請求項２】
前記テンプレートは、ＸＭＬで記述されることを特徴とする請求項１に記載のアルバム作成装置。
【請求項３】
前記ＸＭＬは、ＳＶＧであることを特徴とする請求項２に記載のアルバム作成装置。
【請求項４】
前記ＸＭＬは、ＳＭＩＬであることを特徴とする請求項２に記載のアルバム作成装置。
【請求項５】
前記テンプレートは、ＨＴＭＬで記述されることを特徴とする請求項１に記載のアルバム作成装置。
【請求項６】
前記テンプレートは、ＳＧＭＬで記述されることを特徴とする請求項１に記載のアルバム作成装置。
【請求項７】
前記記憶媒体は、デジタル画像の種類ごとに複数用意されることを特徴とする請求項１に記載のアルバム作成装置。
【請求項８】
前記記憶媒体内には、複数の異なったデザインのテンプレートが含まれることを特徴とする請求項１に記載のアルバム作成装置。
【請求項９】
前記同一の記憶媒体内に収められた、複数の異なったデザインのテンプレートは、互いにリンクされていることを特徴とする請求項８に記載のアルバム作成装置。
【請求項１０】
前記合成手段は、デジタル画像の情報をテンプレートに書き込むことを特徴とする請求項１に記載のアルバム作成装置。
【請求項１１】
アルバムのデザインを規定するテンプレートを予め記憶した記憶媒体から、該テンプレートを読み出し、
デジタル画像を生成し、
前記読み出されたテンプレートと前記生成されたデジタル画像とを合成する
ことを特徴とするアルバム作成方法。
【請求項１２】
アルバムのデザインを規定するテンプレートを予め記憶した記憶媒体から、該テンプレートを読み出す読み出し手順と、
デジタル画像を生成する生成手順と、
前記読み出し手順によって読み出されたテンプレートと、前記生成手順によって生成されたデジタル画像とを合成する合成手順と
をコンピュータに実行させるためのプログラム。
【発明の詳細な説明】
【０００１】
【発明の属する技術分野】
本発明は、アルバム機能を備えた記憶媒体を用いることにより、容易にデジタルアルバムを作成することが可能なアルバム作成装置、アルバム作成方法および該アルバム作成方法を実現するためのプログラムに関する。
【０００２】
【従来の技術】
デジタルアルバムとは、デジタル画像を整理し、閲覧するためのシステムである。デジタル画像の枚数が増えてくると、欲しい画像がすぐに検索できないなどの不都合が生じてくる。そこで、デジタルアルバムを用いることによって、画像の整理を簡潔に行え、また、画像の保存場所を気にすることなく、閲覧することも可能であるし、閲覧時における見栄えも改善される（たとえば、特許文献１および２参照）。
【０００３】
【特許文献１】
特開２００２−０４９９０７号公報
【特許文献２】
特開２００２−０１００６８号公報
【０００４】
【発明が解決しようとする問題】
しかし、実際にデジタルアルバムを作って画像を保存、管理することは少ない。なぜなら、デジタルアルバムをつくるには、アルバムの基となる画像の背景（テンプレート）の選択や、画像の位置決めなど、手間のかかる作業が必要だからである。そして、デジタル画像の枚数が増えれば増えるほど、その作業には益々負担がかかる。
【０００５】
本発明は、デジタルアルバム作成に関する上記問題に鑑みてなされたものであり、アルバムを容易に作成することが可能なアルバム作成装置、アルバム作成方法および該アルバム作成方法を実現するためのプログラムを提供することを目的とする。
【０００６】
【課題を解決するための手段】
上記目的を達成するため、請求項１に記載のアルバム作成装置は、アルバムのデザインを規定するテンプレートを予め記憶した記憶媒体から、該テンプレートを読み出す読み出し手段と、デジタル画像を生成する生成手段と、前記読み出し手段によって読み出されたテンプレートと、前記生成手段によって生成されたデジタル画像とを合成する合成手段とを有することを特徴とする。
【０００７】
請求項２に記載のアルバム作成装置は、請求項１のアルバム作成装置において、前記テンプレートは、ＸＭＬで記述されることを特徴とする。
【０００８】
請求項３に記載のアルバム作成装置は、請求項２のアルバム作成装置において、前記ＸＭＬは、ＳＶＧであることを特徴とする。
【０００９】
請求項４に記載のアルバム作成装置は、請求項２のアルバム作成装置において、前記ＸＭＬは、ＳＭＩＬであることを特徴とする。
【００１０】
請求項５に記載のアルバム作成装置は、請求項１のアルバム作成装置において、前記テンプレートは、ＨＴＭＬで記述されることを特徴とする。
【００１１】
請求項６に記載のアルバム作成装置は、請求項１のアルバム作成装置において、前記テンプレートは、ＳＧＭＬで記述されることを特徴とする。
【００１２】
請求項７に記載のアルバム作成装置は、請求項１のアルバム作成装置において、前記記憶媒体は、デジタル画像の種類ごとに複数用意されることを特徴とする。
【００１３】
請求項８に記載のアルバム作成装置は、請求項１のアルバム作成装置において、前記記憶媒体内には、複数の異なったデザインのテンプレートが含まれることを特徴とする。
【００１４】
請求項９に記載のアルバム作成装置は、請求項８のアルバム作成装置において、前記同一の記憶媒体内に収められた、複数の異なったデザインのテンプレートは、互いにリンクされていることを特徴とする。
【００１５】
請求項１０に記載のアルバム作成装置は、請求項１のアルバム作成装置において、前記合成手段は、デジタル画像の情報をテンプレートに書き込むことを特徴とする。
【００１６】
上記目的を達成するため、請求項１１に記載のアルバム作成方法は、アルバムのデザインを規定するテンプレートを予め記憶した記憶媒体から、該テンプレートを読み出し、デジタル画像を生成し、前記読み出されたテンプレートと前記生成されたデジタル画像とを合成することを特徴とする。
【００１７】
上記目的を達成するため、請求項１２に記載のプログラムは、アルバムのデザインを規定するテンプレートを予め記憶した記憶媒体から、該テンプレートを読み出す読み出し手順と、デジタル画像を生成する生成手順と、前記読み出し手順によって読み出されたテンプレートと、前記生成手順によって生成されたデジタル画像とを合成する合成手順とをコンピュータに実行させるためのものであることを特徴とする。
【００１８】
【発明の実施の形態】
以下、本発明の実施の形態を図面に基づいて詳細に説明する。
【００１９】
（第１の実施の形態）
本実施の形態では、あらかじめテンプレートの保存された記憶媒体、たとえばメモリカードを用いてアルバムを作成する方法について説明する。
【００２０】
図１は、本発明の第１の実施の形態に係るアルバム作成装置の概略システム構成を示すブロック図であり、本アルバム作成装置をデジタルカメラに適用したものである。
【００２１】
同図に示すように、デジタルカメラ１は、入力装置２と、出力装置３と、蓄積装置４と、ＣＰＵ５と、ＲＯＭ６と、ＲＡＭ７とにより、主として構成されている。そして、上記構成要素２〜７は、バス８を介して、相互に接続されている。
【００２２】
入力装置２は、ユーザからの指示やデータを入力する。
【００２３】
出力装置３は、外部機器にデータを出力する。通常、ＵＳＢ（Ｕｎｉｖｅｒｓａｌ　Ｓｅｒｉａｌ　Ｂｕｓ）端子などが用いられる。
【００２４】
蓄積装置４は、画像データやアルバムテンプレート等を蓄積するもので、通常は、メモリカードなどが用いられる。
【００２５】
ＣＰＵ５は、上述した各構成要素の処理の全てに関わる。
【００２６】
ＲＯＭ６およびＲＡＭ７は、ＣＰＵ５が実行する処理に必要なプログラム、データおよび作業領域などをＣＰＵ５に提供する。また、後述する図７のフローチャートの処理に必要な制御プログラムは、ＲＯＭ６に格納されているものとする。
【００２７】
なお、デジタルカメラには、上記以外にも、様々な構成要素が存在するが、本発明の特徴ではないので、その説明は省略する。
【００２８】
図２は、デジタルカメラ１の外観を表した図である。
【００２９】
同図において、撮影ボタン１１は、画像を撮影する際に用いられる。
【００３０】
フラッシュ１２は、光量が不足しているときなどに用いられる。
【００３１】
レンズ１３は、画像を形成するための光を取り込む。
【００３２】
カードスロット１４は、メモリカードを挿入することができる。
【００３３】
メモリカードとしては、コンパクトフラッシュ（登録商標）４ａやスマートメディア４ｂなどが用いられる。撮影された画像は、通常このメモリカードに保管される。
【００３４】
図３は、アルバムテンプレートが保存されたメモリカードの概要を示した図である。
【００３５】
同図に示すように、メモリカード４ａ内には、テンプレート２０が保存されている。
【００３６】
テンプレート２０には、アルバムを構成するための、画像の背景２１や、画像を入れる枠２２や、日付を入れる枠２３や、次のページに移動するためのページめくりボタン２４などが含まれる。
【００３７】
画像の背景２１には、アルバムのタイトルなども含まれる。
【００３８】
メモリカード４ａ内には、このようなアルバムテンプレートが数種類含まれていて、ページをめくる度に、違うテンプレートが現れる仕組みになっている。
【００３９】
図４は、アルバムテンプレートに、撮影した画像を埋め込む操作の概要を示す図である。
【００４０】
同図（ａ）に示すように、テンプレート２０ａには、画像や撮影日時を埋め込む枠が用意されており、そこに撮影日時情報３１や、画像（Ｉｍｇ００１．ｊｐｇ）３２を埋め込むことによって、同図（ｂ）に示すように、アルバムデータ３３が完成する。
【００４１】
図５は、アルバムテンプレートのソースコードの一例を表した図である。
【００４２】
同図において、テンプレートソース４１は、ＸＭＬ（Ｅｘｔｅｎｓｉｂｌｅ　Ｍａｒｋｕｐ　Ｌａｎｇｕａｇｅ）の一種であるＳＶＧ（Ｓｃａｌａｂｌｅ　Ｖｅｃｔｏｒ　Ｇｒａｐｈｉｃｓ　Ｌａｎｇｕａｇｅ）で記述されている。
【００４３】
画像を埋め込む枠は、“ｉｍａｇｅ”という名前のタグで構成されており、“ｘｌｉｎｋ：ｈｒｅｆ”で画像ファイルへのリンクを記述する。
【００４４】
テンプレートソース４１では、画像ファイルへのパスは“Ｎｏ　Ｉｍａｇｅ”と記述されている。
【００４５】
撮影日時を記述する枠は、“ｔｅｘｔ”というタグで構成されており、テンプレートソース４１では、“日付”とのみ記述されている。
【００４６】
また、“ａ”というタグで、次のページあるいは、前ページへのリンクを記述している。
【００４７】
このテンプレートソース４１をグラフィックスとして表示すると、図４（ａ）のテンプレート２０ａになる。
【００４８】
アルバムデータソース４２には、画像と撮影日時情報を埋め込んだ後の、アルバムデータのソースコードが記述されている。
【００４９】
“ｉｍａｇｅ”のタグには、画像ファイルへのリンク先として、“Ｉｍａｇｅ００１．ｊｐｇ”が記述されている。
【００５０】
また、撮影日時情報として、“ｔｅｘｔ”のタグには、“日付：２００１／１／１　１３：３０”と記述されている。
【００５１】
このアルバムデータソースをグラフィックスとして表示すると、図４（ｂ）のアルバムデータ３３となる。
【００５２】
なお、本実施の形態では、ＳＶＧをソースコードに用いたが、もちろん、ＨＴＭＬ（Ｈｙｐｅｒｔｅｘｔ　Ｍａｒｋｕｐ　Ｌａｎｇｕａｇｅ）でも、ＳＭＩＬ（Ｓｙｎｃｈｒｏｎｉｚｅｄ　ＭｕｌｔｉｍｅｄｉａＩｎｔｅｇｒａｔｅｄ　Ｌａｎｇｕａｇｅ）でも、グラフィックスを描けるものであれば、何であっても構わない。
【００５３】
図６は、完成したアルバムデータの一例を表した図である。
【００５４】
アルバムテンプレートは、同じメモリカード内であっても数種類存在する。システムは、画像を撮影するごとに、異なるテンプレートに画像を埋め込んでいく。その結果、完成したアルバムデータは、アルバムデータ５１〜５３のように、ページごとに異なった背景を持つことができる。そうして完成したアルバムデータは、互いにリンクが貼られ、次ページまたは前ページに移動することができる。
【００５５】
図７は、実際にアルバムテンプレートの保存されたメモリカードを使って、アルバムデータが作成されるまでの操作手順を示すフローチャートである。
【００５６】
同図において、ステップＳ１では、撮影に用いるメモリカードを選択する。メモリカードには、あらかじめ行事に合わせたテンプレートが保存されているので、運動会なら運動会用のメモリカード、結婚式なら結婚式用のメモリカードを選択する。
【００５７】
ステップＳ２では、選択したメモリカードをデジタルカメラ１に挿入し、画像を撮影する。
【００５８】
次に、ステップＳ３において、撮影された画像がメモリカードに保存される。
【００５９】
そして、ステップＳ４では、テンプレートのソースを書き換え、撮影した画像にリンクを貼る。リンクを貼る操作については、図５において説明しているので、ここでは省略する。
【００６０】
ステップＳ５では、撮影を終了する場合は、操作を終了し、撮影を続行する場合は、ステップＳ２に戻る。
【００６１】
このように、あらかじめアルバムテンプレートが保存されたメモリカードを用いることによって、撮影するだけで簡単に、行事に合わせたアルバムを作成することができるようになる。
【００６２】
（第２の実施の形態）
本実施の形態では、上記第１の実施の形態で作成したアルバムデータを、パーソナルコンピュータなどの機器で閲覧する方法について説明する。
【００６３】
図８（ａ）において、デジタルカメラ１で撮影し、作成したアルバムデータは、ＵＳＢ端子６３を用いるか、メモリカード４ａを直接カードスロット６２に差し込むなどして、ＰＣ（パーソナルコンピュータ）６１に移動させることができる。
【００６４】
ＰＣ６１に移動したアルバムデータは、図８（ｂ）に示すように、ディスプレイ６４上で、アプリケーション６５を用いるなどして、閲覧することができる。
【００６５】
また、閲覧しているアルバムデータの矢印ボタンをマウスなどでクリックすることによって、ページをめくることができる。
【００６６】
（第３の実施の形態）
本実施の形態では、上記第１の実施の形態で作成したアルバムデータを、プリンタなどで印刷し、アルバムを作成する方法について説明する。
【００６７】
図９（ａ）において、メモリカード４ａに保存されたアルバムデータは、メモリカード４ａを、カードスロット７２に差し込むことによって、プリンタ７１に移動させることができる。そして、プリンタ７１で印刷を行うと、図９（ｂ）の印刷結果７３のような、印刷されたアルバムを作成することができる。
【００６８】
なお、上述した各実施の形態の機能を実現するソフトウェアのプログラムコードを記録した記憶媒体を、システムまたは装置に供給し、そのシステムまたは装置のコンピュータ（またはＣＰＵやＭＰＵ）が記憶媒体に格納されたプログラムコードを読出し実行することによっても、本発明の目的が達成されることは言うまでもない。
【００６９】
この場合、記憶媒体から読出されたプログラムコード自体が本発明の新規な機能を実現することになり、そのプログラムコードを記憶した記憶媒体は本発明を構成することになる。
【００７０】
プログラムコードを供給するための記憶媒体としては、たとえば、フレキシブルディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭなどを用いることができる。また、通信ネットワークを介してサーバコンピュータからプログラムコードが供給されるようにしてもよい。
【００７１】
また、コンピュータが読出したプログラムコードを実行することにより、上述した各実施の形態の機能が実現されるだけでなく、そのプログラムコードの指示に基づき、コンピュータ上で稼働しているＯＳなどが実際の処理の一部または全部を行い、その処理によって上述した各実施の形態の機能が実現される場合も含まれることは言うまでもない。
【００７２】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって上述した各実施の形態の機能が実現される場合も含まれることは言うまでもない。
【００７３】
【発明の効果】
以上説明したように、本発明によれば、アルバムテンプレートの保存された記憶媒体を用いることによって、簡単にデジタルアルバムを作成できるようになる。
【００７４】
また、作成したデジタルアルバムは、パソコンで閲覧したり、プリンタで印刷することが可能である。
【図面の簡単な説明】
【図１】本発明の第１の実施の形態に係るアルバム作成装置の概略システム構成を示すブロック図であり、本アルバム作成装置をデジタルカメラに適用したものである。
【図２】図１のデジタルカメラの外観を表した図である。
【図３】アルバムテンプレートが保存されたメモリカードの概要を示した図である。
【図４】アルバムテンプレートに、撮影した画像を埋め込む操作の概要を示す図である。
【図５】アルバムテンプレートのソースコードの一例を表した図である。
【図６】完成したアルバムデータの一例を表した図である。
【図７】実際にアルバムテンプレートの保存されたメモリカードを使って、アルバムデータが作成されるまでの操作手順を示すフローチャートである。
【図８】第１の実施の形態で作成したアルバムデータを、パーソナルコンピュータなどの機器で閲覧する方法を説明するための図である。
【図９】第１の実施の形態で作成したアルバムデータを、プリンタなどで印刷し、アルバムを作成する方法を説明するための図である。
【符号の説明】
１　デジタルカメラ
２　入力装置
３　出力装置
４　蓄積装置
４ａ　コンパクトフラッシュ（登録商標）
４ｂ　スマートメディア
５　ＣＰＵ
６　ＲＯＭ
７　ＲＡＭ
８　バス
１１　撮影ボタン
１２　フラッシュ
１３　レンズ
１４　カードスロット
２０　テンプレート
６１　ＰＣ
６２カードスロット
６３　ＵＳＢ端子
６４　ディスプレイ
６５　アプリケーション
７１　プリンタ
７２　カードスロット
【図１】
2004134979.tif 000003
【図２】
2004134979.tif 000004
【図３】
2004134979.tif 000005
【図４】
2004134979.tif 000006
【図５】
2004134979.tif 000007
【図６】
2004134979.tif 000008
【図７】
2004134979.tif 000009
【図８】
2004134979.tif 000010
【図９】
2004134979.tif 000011